(57)【要約】      （修正有）【課題】人込みや狭い場所で使用する雨具として、こうもり傘があるが、柄を持って支える必要があり片手が塞がる。中点から外周に向かって全方向に傘骨が突き出ている危険な形態である。自動車の乗降場面でも濡れてしまうのが実態である。これらを解決する機能を有した傘を提供する。【解決手段】弾性体線を人の肩幅を覆うに足る充分な長さで楕円形に曲げた枠を作り、その枠全面に覆うように撥水布を張り外周縁部を埋設又は縫製した楕円帽子傘を構築する。該楕円帽子傘の長手方向に山形に曲げて出来る後方側壁の適当な範囲を後方布幕を施すことで山形の大きな帽子傘が構築できる。該楕円帽子傘の天井部に頭部を被せる帽子部を設置し、着帽することで該楕円帽子傘を保持する。また、あご紐を取り付け、該あご紐を押さえることで傘の横幅を任意に変えることが出来る。又、弾性体線を８の字状に捻ることで三重輪に小さくできる折り畳み帽子傘を提供する。【選択図】図１
2007107166.tif 000002
【特許請求の範囲】
【請求項１】
弾性体線を人の肩幅を覆うに足る充分な長さで楕円形に曲げた枠を作り、この枠全面を覆うように撥水布を張り外周に沿って縁部を埋設または縫製する。これを長手方向に山形に曲げて出来る側壁の一部に布幕を施して、この形態を維持させ楕円帽子傘を構築する。更に、該楕円帽子傘の天井部に、頭部の額を被ることのできる大きさの鉢巻、又は帽子を取り付ける。また、該楕円帽子傘下方の両袖間を連結できる長さのあご紐を取り付けた折り畳み帽子傘。
【請求項２】
前記請求項１の折り畳み帽子傘において、楕円帽子傘中点部の前方に突き出すように半円状に曲げた弾性体ひさしを上方から後方に回動できるように取り付ける。そしてできた枠の全体を撥水布で覆う傘ひさしを併設した折り畳み帽子傘。
【請求項３】
前記請求項２の折り畳み帽子傘において、弾性体線を以って楕円形状にしたことで、８字状に捻って小さく三重輪にすることを可能にした折り畳み帽子傘。
【発明の詳細な説明】
【技術分野】
【０００１】  本発明は、サッカーや野外行事観戦時における人込みの場所で雨除けや日除け用、または雨天における自動車の乗降や狭い通路を往来する時に適した携帯用の折り畳み傘に関するものである。
【背景技術】
【０００２】  従来、携行便利な雨具または日除け具としては、既存のこうもり傘が一般的であるが、その使用に当たって、傘を支えるために片手が拘束され、長時間の使用においては、肉体的にも大きな疲労感を伴うものである。また、傘骨が中点より全方向の外周に向かって突き出ているものが殆どで危険な形態を成している。一方、傘骨のような鋭利なものは無く、両手も開放される洋服形態の雨合羽もあるが、着脱衣が面倒な上、直ぐに蒸し暑くなり長時間の着用は、大きな不快感を味わうものである。また、雨降りにおける自動車の乗降には、既存のこうもり傘では、ドアーの開閉に合わせ傘を一旦閉じるか半開きにして出入りをしなければならず、特に大降りの時は、相当濡れてしまうのが実態である。また、あせっての行動でもあり、傘骨の先端をあちこちに引っ掛け振り回すことになり非常に危険な行為となってしまっている。【０００３】  先願技術の特許文献には、下記のようなものがあるが、いずれも本案とは、異なる。その一つである特許２００５−７４０３９「薄膜構造の帽子傘」は、円錐状の薄膜輪を成形し、その頂上部を頭に被せるよう鉢巻状の輪を配置し、下部の外周をチューブ状の輪を接着した雨具で使用時には、このチューブ内に空気を吹き入れて構築した後、円錐頂上部に有する鉢巻部の袋内に頭を入れて使用する傘であるが、前方への見通しが悪く閉塞感が大きな形態となっている。また、いちいち空気を入れたり抜いたりする手間が必要で面倒である。また、別の一つである特開２００４−２７４００「帽子傘及びその製造方法」は、防水布を円錐状に加工しその環状外周部に沿って弾性部材を埋設し、その山頂中央部をくり抜きフードを取り付けて成るもので、下から首を入れフードから原を出して使用するもので雨合羽と同様、顔部に窮屈な圧迫感を持つ形態のものである。何れも、即時に小さく折り畳んで収納したり、雨天における狭い場所や車の乗り降りの際に即応できる傘としては不向きなもので、本考案と異なるものである。
【特許文献１】特開２００５−７４０３９
【特許文献２】特開２００４−２７４００
【発明が解決しようとする課題】
【０００４】  サッカーや野外行事観戦席等近くに多くの人が居る場所における雨除けや日除け用、または、突発的な雨降りにおける自動車の乗降や狭い戸口の出入りに傘を全開したままで支障なく使用できる形態の携行と収納に便利な傘。また着帽感覚のみで手軽に装着でき、横幅調整を可能とした機能を有し隣席者に危険と視界を妨げない形態の傘を欲求されている。
【課題を解決するための手段】
【０００５】  上記課題を解決するため、弾性体線を人の肩幅を充分に覆うに足る大きさの楕円形に曲げ、その両端面を突き合わせ固着する。該弾性体線で出来た楕円枠を覆うように撥水布を張り外周に沿って縁部を縫製又は埋設することで楕円状の帽子傘を形成できる。
【０００６】  また、該楕円帽子傘の中点付近前方に張り出すように弾性体ひさしを半円状に曲げ、前方から上方そして後方に回動できるように取り付ける。該弾性体ひさしの全面にも撥水布を張ることで、前方からの横雨や日差しをより大きく遮蔽させるものである。不要な時は上方に跳ね上げ、そして後方に倒しておく。更に該弾性体ひさしの両線端を伸ばし適当な輪を設けた形状にしたことで、このひさし部を起こした時に、該輪部が楕円帽子傘の撥水布内面に当り突っ張り垂れ下がりを支えてくれる。
【０００７】  次に、該楕円帽子傘を長手方向に山形に曲げてできる後方側壁の適当な範囲に後方布幕を敷設すれば、山形状の立体が維持される。この後方布幕で雨の振込みや日差しを避けることもできる。
【０００８】  更に、該楕円帽子傘の中点付近の天井部に頭部の額まで被ることのできる帽子部を設置する。該帽子部を被ることで楕円帽子傘全体を保持する。
【０００９】  併せて、該楕円帽子傘の下方の適当な両袖部間を連結できる充分な長さのあご紐を設置する。該あご紐を手で押さえる加減で該楕円帽子傘の袖部が引っ張られ、横幅の大きさを任意に調整できる。また、通常使用においての該楕円帽子傘保持は、帽子部の着帽のみで充分であるが、強風時などで更に強固な保持力を必要とした場合、該あご紐を強く押さえることで対応できる。該楕円帽子傘は楕円形状と弾性体線の枠内に帽子部などを適当な位置に配置したことで８字状に捻ることが可能となり三重輪に小さく折り畳むことができる傘である。本考案品を以って当課題を解決できる。
【発明の効果】
【００１０】本発明により次のような効果が得られる。
１）当考案品の帽子傘は、着帽感覚のみで装着保持でき、従来傘の柄を持っての傘を手で支える必要はなく両手は開放される。
２）また、あご紐を適当に絞り込めば、傘本体の保持力は、より強固なものとなり、従来品の傘の欠点である強風時の風で傘骨を逆反りしての破損されると言うようなことが少ない。
３）併せて、雨天時の自動車の乗降や狭い通路や扉の出入りの際にも、あご紐を引つ張る操作のみで傘の横幅調整が可能で立ち止まることなく円滑な歩行進行することが出来る。
４）更に、輪状で鋭利なものが皆無の構造であり、車内や狭い場所での着脱作業も安全にできる。また、８字状に捻るのみで三重輪に小さくでき、収納作業も容易である。
５）尚、野球やサッカーの野外観戦席など、人が多く集まった場所でも、従来傘では不可能であったが、鋭利な傘骨もない形態と肩幅まで任意に狭く曲げることで、隣席者に対する迷惑を最小限にすることができるものである。
【発明を実施するための最良の形態】
【００１１】  以下、図面に基づいて本発明を詳細に説明する。
図１は本考案品の帽子傘を開いて使用する時の斜視図である。弾性体線２を人の肩幅を充分に覆うに足る大きさの楕円又は長円形に曲げその両端面を突き合わせ固着する。その弾性体線２の片側中央部には、半円状に曲げてその両端部各々に輪を加工した形状の弾性体ひさし３を上方から後方に回動できる方法で固定する。該弾性体線２で出来た楕円枠と弾性体ひさし３で出来た半円枠の両全面を覆うように撥水布４を張り全縁に沿って縫製又は埋設することで楕円帽子傘１が構築できる。尚、該弾性体ひさし３の両端にある輪が撥水布面に当り、ひさし部が下方に垂れ下がりするのを支える。【００１２】  更に、該楕円帽子傘１を適当な山形に曲げ、その後側にできた半円の側壁の適当な範囲に後方布幕７を施すことで山形の帽子タイプの大きな傘が構築される。そして該後方布幕７の裾付近にゴム帯１０を橋渡しするように取り付ける。【００１３】  次に、該楕円帽子傘１の中央部のやや前寄り天井部に頭を挿入して傘全体を保持するための鉢巻帽子５を取り付ける。併せて該鉢巻帽子５の後側天井部に弾性体輪６を縫製する。これは楕円帽子傘１の屋根部をより強固にするものであり無くても良い。【００１４】  次に、楕円帽子傘１両袖部間を連結できる充分な長さのあご紐８を設ける。該あご紐８は手で押さえたり絞ったりすることで楕円帽子傘１の山形横輻の大きさを任意に変えたり、強風下には脇に挟んだり腰に縛ることで、より強力な保持を確保できるものである。尚、この任意幅で止めることができる紐止め具９をあご紐８に挿入しておくと更に便利である。【００１５】  図２（ａ）は本考案品を傘として着帽した使用中の状況を前方から見た斜視図であり、楕円帽子傘１の天井部に取り付けた鉢巻帽子５に頭部を被せる。更に、あご紐８の長さ調整することで、該楕円帽子傘１の横幅を肩幅まで任意の大きさに変更できる。（ｂ）図は、その側面図である。（ｃ）は、本考案品を後方から見た斜視図である。【００１６】  図３は、本考案品の骨格のみを表したもので、（ａ）は楕円帽子傘１全体を開いた時の斜視図ある。（ｂ）は、本案帽子傘本体を三重輪に折り畳んで仮保持し、ゴム帯１０を裏返すように伸ばして鉢巻状に挟むことで収納が完了する。その保管形態の斜視図である。【００１７】  図４は本考案品の折り畳み収納手順を表したもので、その過程を（ａ）（ｂ）（ｃ）の順で図示したもので三重輪に折り畳む手順番号表記した事例図であり、これらの手順を数字または色などで表示しておくと誰でも迷うことなく作業できるが、無くても構わない。
【図面の簡単な説明】
【００１８】
【図１】本発明の傘を開いて使用する時の斜視図。
【図２】本発明の着帽した時の（ａ）正面からの斜視図（ｂ）側面図。
【図３】本発明の骨格のみを表したもので、（ａ）は、その使用する時の斜視図。（ｂ）は、折り畳み完了して収納最終の形態図。
【図３】本発明の三重輪に折り畳み収納手順を表したもので、その過程を（ａ）（ｂ）（ｃ）とした展開図。
【符号の説明】
【００１９】  １  楕円帽子傘
２  弾性体線
３  弾性体ひさし
４  撥水布
５  鉢巻帽子
６  弾性体輪
７  後方布幕
８  あご紐
９  紐止め具
１０  ゴム帯
【図１】
2007107166.tif 000003
【図２】
2007107166.tif 000004
【図３】
2007107166.tif 000005
【図４】
2007107166.tif 000006
【手続補正書】
【提出日】平成18年1月22日(2006.1.22)
【手続補正１】
【補正対象書類名】明細書
【補正対象項目名】００１８
【補正方法】変更
【補正の内容】
【００１８】
【図１】本発明の傘を開いて使用する時の斜視図。
【図２】本発明の着帽した時の（ａ）正面からの斜視図（ｂ）側面図（ｃ）は、後方からの斜視図。
【図３】本発明の骨格のみを表したもので、（ａ）は、傘を開いた時の骨格図。（ｂ）は、傘を折り畳んだ時の骨格図。
【図４】本発明の三重輪に折り畳み収納手順を表したもので、その過程を（ａ）（ｂ）（ｃ）とした展開図。